(57)【特許請求の範囲】
【請求項１】
再生される映像に合わせて所定の音声を後から編集又は録音する場合、前記音声の編集又は録音作業を行う作業者に対し作業のタイミングを知らせるためにこの作業タイミングに至るまでカウントダウンするタリーを前記映像上に合成して表示するタリー表示装置において、
前記音声が周期的な動作音であるとき、該動作音の周期を記録する周期記録手段を備え、
前記周期記録手段に記録された周期を、前記タリーにおけるカウントダウンのカウント間隔時間として設定するカウント間隔時間設定手段を備えたことを特徴とするタリー表示装置。
【請求項２】
前記作業を開始する映像に付与されたタイムコードをスタートタイムコードとして指定するスタートタイムコード指定手段と、
前記スタートタイムコード指定手段が前記スタートタイムコードを３つ以上指定した場合、隣接する２つのスタートタイムコード間の時間間隔を計り、これらの時間間隔の平均値を算出する平均時間間隔算出手段を備え、
前記カウント間隔時間設定手段は、前記平均時間間隔算出手段にて算出された平均値を、前記タリーにおけるカウントダウンのカウント間隔として設定するように構成したことを特徴とする請求項１に記載のタリー表示装置。
【請求項３】
再生される映像に合わせて所定の音声を後から編集又は録音する場合、前記音声の編集又は録音作業を行う作業者に対し作業のタイミングを知らせるためにこの作業タイミングに至るまでカウントダウンするタリーを前記映像上に合成して表示するタリー表示装置において、
前記音声が連続する動作音であるとき、該動作音の回数を記録する動作回数記録手段を備え、
前記動作回数記録手段に記録された動作回数を、前記タリーにおけるカウントダウンのカウント回数として設定するカウント間隔時間設定手段を備えたことを特徴とするタリー表示装置。
【請求項４】
前記タリーの表示オンに合わせて、信号音を出力する信号音出力手段を備えたことを特徴とする請求項１〜３のいずれか１項に記載のタリー表示装置。
【請求項５】
前記信号音出力手段は、ＭＩＤＩのノートオン信号又はＧＰＩパルスを出力するように構成したことを特徴とする請求項４に記載のタリー表示装置。
【発明の詳細な説明】
【技術分野】
【０００１】
本発明は、映像に合せて音声の編集や録音を行う作業者に対して作業のタイミングをカウントダウンしながら知らせるタリーの表示装置に関するものであり、特に、周期的に継続する動作音を作業対象とした場合に好適なタリー表示装置に関するものである。
【背景技術】
【０００２】
近年、映像技術は長足の進歩を遂げており、再生中の映像に字幕などの文字データを適切なタイミングで合成表示するシステム等が広く用いられている（特許文献１）。また、映像に合成するデータとしては視聴者に提供される文字データに限らず、主として映像の制作者サイドが利用する表示データを合成することもある。代表的な表示データの例としては、音声の編集・録音作業時に作業の開始又は終了タイミングをカウントダウンして知らせるタリーがある。
【０００３】
映画やテレビ番組を制作する際、映像を再生しながらその映像に合せてリアルタイムで音声編集作業や効果音録音作業を行うことがあり、作業者である音声編集装置のオペレータやフォーリーアーティスト（映像に合せて物理的・身体的な効果音を発生させる技術者）は、再生される映像を見ながら、映像中のシーンや登場人物の動きに合わせて、音声の収録作業等を実施している。
【０００４】
このため、上記作業者は、作業の開始タイミングあるいは終了タイミングを、正確に把握する必要がある。映像の各コマには通常、時間情報であるタイムコードが付与されているので、このタイムコードに基づいて高い精度でタイミングを図りながら作業を行っていく。しかし、作業の開始タイミングあるいは終了タイミングは僅かにずれるだけで、視聴者に違和感を与えることがある。そこで、作業者に対して作業のタイミングを事前に知らせるべく、再生中の映像に、カウントダウンするタリーを合成して表示するタリー表示装置が利用されている。
【０００５】
タリー表示装置としては、映像の各コマに付されたタイムコードを元にして、その場面や動作の始まる（あるいは終わる）タイムコードを予め登録しておき、例えば、登録したタイムコードの３秒前から１秒間隔でカウントダウンするタリーを、つまり「３、２、１」とカウントダウンしていくタリーを映像中にスーパーインポーズするタイプの機器が知られている。また、タリーをスーパーインポーズする機器に、タリー表示オンの指示信号を発生させる機能を持たせた機器同期ユニット（シンクロナイザ）も用いられている。
【０００６】
このようなタリー表示装置を使用することにより、オペレータやフォーリーアーティストは、映像に合成されたタリーのカウントダウン表示を見ながら、作業の開始タイミングや終了タイミングを、前もって知ることができる。したがって、正確なタイミングで音声を映像に合わせる作業を容易に実施することが可能となる。
【特許文献１】特開２００４−２１５０３３号公報
【発明の開示】
【発明が解決しようとする課題】
【０００７】
ところで、登場人物の足音やくしゃみの音、動物のひづめの音や鳴き声、さらには機械からの発生音等、一定時間継続する動作音や周期的に繰り返される動作音を、編集・録音することがある。このとき、演出意図などの理由によって、映像としてシーンや登場人物が画面に出てくるよりも前から、画面に音声がかぶって聞こえるようにすることが求められるケースがある。
【０００８】
この場合、上記のタリー表示装置を使用しても、動作音の対象となる動作自体が画面に映し出されていない段階で、タリーの表示がカウントアップとなって作業の開始が知らされることになる。そのため、作業の開始タイミングがとりづらかった。その結果、実際に画面に現れた時の動作と、収録された音声とが微妙にずれることがある。
【０００９】
例えば、足の動きが画面に現れるよりも前から、周期的・連続的な足音の録音が始まり、ある程度してから、足の動きが画面に現れ、これに音声を付ける作業を考える。この場合、画面に足が現れる前の足音の周期が、画面に現れた後の足の動きによる足音の周期とずれていれば、画面に映っている足つまり靴が床についた瞬間には足音が聞こえず、靴が床から離れた時に足音が響くといった、ちぐはぐな映像が出来上がってしまう。
【００１０】
そこで、音声編集装置のオペレータやフォーリーアーティストは、画面に出てきた後の動作を繰り返し見てその周期を記憶し、リハーサルを何度も行ってから最終的な編集・録音作業を行っていた。これにより、画面に出てこないうちから発生させる動作音と、実際に画面に現れた後の動作音を、スムーズにつなげるようにしていた。
【００１１】
また、動作音が継続的であっても、最初の動作音から次の動作音までの間隔が極めて短い音声、例えば連続するくしゃみや、動物の自然な鳴き声のようにその周期に揺らぎがある動作音がある。これらの動作音に対する編集・録音作業に関しても、従来のタリー表示ではタイミングをとるための参照になり難く、経験豊かな作業者であっても入念なリハーサルを行うほか無かった。
【００１２】
上述したように、従来のタリー表示装置は、作業者に対し作業の開始タイミングあるいは終了タイミングを単純に知らせるだけの装置に過ぎなかったので、映像として画面に動作が出てこない段階から始まる動作音や、間隔の短い動作音、さらには周期に揺らぎのある動作音を作業対象とする場合は、編集又は録音する作業が極めて困難であった。このため、作業時間が限られている制作現場では作業時間の短縮化が強く要請されていた。
【００１３】
本発明は、以上のような問題点を解消するために提案されたものであり、その目的は、画面に動作が出てこないうちから始まる動作音や周期に揺らぎのある動作音等、音声の編集・録音作業が困難な場合でも、正確な作業タイミングを作業者に示唆することができ、作業時間を短縮化して作業効率の向上に寄与するタリー表示装置を提供することである。
【課題を解決するための手段】
【００１４】
上述した目的を達成するために、本発明は、再生される映像に合わせて所定の音声を後から編集又は録音する場合、前記音声の編集又は録音作業を行う作業者に対し作業のタイミングを知らせるためにこの作業タイミングに至るまでカウントダウンするタリーを前記映像上に合成して表示するタリー表示装置において、次のような構成上の特徴がある。
【００１５】
すなわち、請求項１の発明は、前記音声が周期的な動作音であるとき、該動作音の周期を記録する周期記録手段を備え、前記周期記録手段に記録された周期を、前記タリーにおけるカウントダウンのカウント間隔時間として設定するカウント間隔時間設定手段を備えたことを特徴としている。
【００１６】
この請求項１の発明では、周期記録手段にて予め動作音の周期を記録することで、この記録に基づき、カウント間隔時間設定手段がタリーにおけるカウントダウンのカウント間隔時間を自動的に設定することができる。このため、動作音周期を記録するだけでカウント間隔時間を設定することが可能となり、面倒なカウント間隔時間の設定作業は不要となり、作業の効率化を図ることができる。
【００１７】
請求項２の発明は、請求項１に記載のタリー表示装置において、前記作業を開始する映像に付与されたタイムコードをスタートタイムコードとして指定するスタートタイムコード指定手段と、前記スタートタイムコード指定手段が前記スタートタイムコードを３つ以上指定した場合、隣接する２つのスタートタイムコード間の時間間隔を計り、これらの時間間隔の平均値を算出する平均時間間隔算出手段を備え、前記カウント間隔時間設定手段は、前記平均時間間隔算出手段にて算出された平均値を、前記タリーにおけるカウントダウンのカウント間隔として設定するように構成したことを特徴としている。
【００１８】
このような請求項２の発明では、カウント間隔時間設定手段が平均時間間隔算出手段の算出した平均値をタリーにおけるカウントダウンのカウント間隔として設定可能なので、動作音の周期の平均的な間隔を作業者に示唆可能である。しかも、タリーがカウントダウンされていく時間間隔が均一なので、作業者はタリーの表示を見て、作業の開始タイミングを正確に予測することが可能である。
【００１９】
請求項３の発明は、前記音声が連続する動作音であるとき、該動作音の回数を記録する動作回数記録手段を備え、前記動作回数記録手段に記録された動作回数を、前記タリーにおけるカウントダウンのカウント回数として設定するカウント回数設定手段を備えたことを特徴としている。
【００２０】
このような請求項３の発明では、動作回数記録手段にて予め動作音の回数を記録しておき、この記録に基づいて、動作回数設定手段がタリーにおけるカウントダウンのカウント回数を自動的に設定することができる。このため、動作音の回数を数えて登録するといった簡単な作業を行うだけで、カウント回数の設定を実施することができる。したがって、作業対象となる音声の動作パターンに応じて、タリーのオン表示をフレキシブルに変更可能であり、編集・録音作業を的確にサポートすることができる。
【００２１】
請求項４の発明は、請求項１〜３のいずれか１項に記載のタリー表示装置において、前記タリーの表示オンに合わせて、信号音を出力する信号音出力手段を備えたことを特徴としている。また、請求項５の発明は、請求項４に記載のタリー表示装置において、前記信号音出力手段は、ＭＩＤＩのノートオン信号又はＧＰＩパルスを出力するように構成したことを特徴とするものである。
【００２２】
これらの発明では、信号音出力手段がＭＩＤＩのノートオン信号やＧＰＩパルス等を出力することにより、タリーのカウントダウンに合わせて信号音を出力することができるので、作業の開始タイミングを耳からも知らせることが可能となる。したがって、カウントダウンの時間間隔が短い場合でも、作業者は作業のタイミングが取り易いといったメリットがある。
【発明の効果】
【００２３】
本発明のタリー表示装置によれば、タリーにおけるカウントダウンのカウント間隔時間又はカウント回数を、動作音の周期又は回数に応じて設定することで、周期的・連続的な動作音に対する編集・録音作業に関して、正確な作業タイミングを作業者に示唆することができ、音声の編集・録音作業を短縮化して作業効率の向上に寄与することができる。
【発明を実施するための最良の形態】
【００２４】
〔代表的な実施形態〕
以下、本発明を実施するための最良の形態（以下「実施形態」という）について、図面を参照して具体的に説明する。図１は本実施形態の構成を示すブロック図、図２は本実施形態におけるタリー表示の流れを示すフローチャートである。
【００２５】
〔構成〕
図１に示すように、本実施形態に係るタリー表示装置１には、外部機器であるＶＴＲ２から映像信号を受け取ってこの映像信号にタリーの表示データを合成処理する映像処理部３と、ＶＴＲ２から映像の各コマのタイムコードＴ０を読み取るタイムコードリード部４が設けられている。
【００２６】
また、タリー表示装置１には、タリー表示を制御するための制御部１０が設置されている。この制御部１０にはキーボード５と、イベント登録スイッチ７を有するコントローラ６が接続されている。キーボード５は各種のタイムコード値等を直接入力する部分である。キーボード５から制御部１０側に入力されるデータとしては、作業開始とする映像のコマに付されたスタートタイムコードＴ１、タリーにおけるカウントダウンのカウント間隔時間Ｔ２、プリロールの長さＴ３、動作音の回数ｎがある。
【００２７】
コントローラ６は、前記タイムコードリード部４がＶＴＲ２から読み取ったタイムコードに基づいて、イベント登録スイッチ７を押し下げた時点のタイムコードを作業開始のスタートタイムコードＴ１として登録し、タリーにおけるカウントダウンのカウント間隔時間Ｔ２、プリロールの長さＴ３、動作音の回数ｎを指定する部分である。
【００２８】
さらに、制御部１０には、タリー表示オンタイムコード算出部８及びタリー表示オン信号送信部９が設けられている。タリー表示オンタイムコード算出部８は、キーボード５にて直接入力されたスタートタイムコードＴ１、またはイベント登録スイッチ７の押し下げにより登録されたスタートタイムコードＴ１に加えて、タリーにおけるカウントダウンのカウント間隔時間Ｔ２、プリロールの長さＴ３、もしくはタリーの回数ｎといった制御部１０が入力した各種のデータを取り込み、これらのデータから、タリー表示をオンとする映像に付されるタイムコードＴ４を算出する部分である。
【００２９】
タリー表示オン信号送信部９は、タリー表示オンタイムコード算出部８が算出したタリー表示オンタイムコードＴ４と、タイムコードリード部４が読み取ったタイムコードＴ０とを読み込み、両者が一致した場合に、タリー表示をオンとする信号を、映像処理部３に送信するようになっている。
【００３０】
〔タリー表示の手順〕
以上の構成を有する本実施形態では、次のようにしてタリーを表示する。まず、キーボード５からの直接入力あるいはコントローラ６のイベント登録スイッチ７を押し下げる操作によって、作業開始のスタートタイムコードＴ１、タリーにおけるカウントダウンのカウント間隔時間Ｔ２、プリロールの長さＴ３、タリーの回数ｎを、制御部１０のタリー表示オンタイムコード算出部８に入力する（ＳＴ１）。タリー表示オンタイムコード算出部８は、これらのデータから、タリー表示をオンとするタイムコードＴ４を算出し、これをタリー表示オン信号送信部９に送る（ＳＴ２）。
【００３１】
ＶＴＲ２が映像の再生を開始すると、タイムコードリード部４はＶＴＲ２から映像の各コマのタイムコードＴ０を読み取り、これをタリー表示オン信号送信部９に送る（ＳＴ３）。タリー表示オン信号送信部９は、タリー表示オンタイムコード算出部８が算出したタリー表示オンタイムコードＴ４と、タイムコードリード部４が読み取ったタイムコードＴ０とを比較して（ＳＴ４）、両者が一致した場合には（ＳＴ４のＹＥＳ）、タリー表示をオンとする信号を、映像処理部３に送信する（ＳＴ５）。この信号を受け取った映像処理部３は、ＶＴＲ２から受け取った映像信号にタリーの表示データを合成処理する（ＳＴ６）。
【００３２】
〔作用効果〕
以上のような本実施形態では、作業者自身がキーボード５あるいはコントローラ６を操作することによって、カウント間隔時間Ｔ２及びカウント回数ｎを自由に設定することができる。このため、作業対象となる音声が周期的・連続な動作音である場合に、その周期をカウント間隔時間Ｔ２として、動作回数をカウント回数ｎとして、それぞれ設定することが可能である。したがって、作業の開始タイミングだけではなく、表示されるタリーのカウントダウンの間隔時間Ｔ２で動作音の周期を、カウント回数ｎで動作の回数を、それぞれ作業者に対して事前に知らせることが可能である。
【００３３】
つまり、タリーの表示によって作業者へ伝えられる情報内容を増やすことができ、動作音の対象となる動作自体が画面に現れる以前から作業を開始しなくてはならない場合や、動作音の周期に揺らぎがあるような場合であっても、作業者は、作業の開始タイミングと共に把握して、正確なタイミングで作業を開始することができる。さらには、動作音の周期及び動作回数を事前に知ることで、余裕を持って作業に望むことが可能となる。
【００３４】
しかも、ＶＴＲ２にて再生される映像を見ながら、キーボード５あるいはコントローラ６の操作によって、タリーにおけるカウントダウンのカウント間隔時間Ｔ２及びカウント回数ｎを簡単に設定できる。また、タリー表示オンタイムコード算出部８に各種のデータを入力するだけで、タリー表示をオンとするタイムコードＴ４を自動的に算出でき、作業内容に柔軟に対応可能なタリー表示が可能である。
【００３５】
上記の実施形態によれば、ベテランの作業者が何度も映像を確認してから行っていた難しい動作音の編集・録音作業に関して、正確に作業のタイミングを知らせることが可能となる。これにより、作業時間の短縮化を図ることができ、作業効率が格段に向上する。
【００３６】
〔他の実施形態〕
なお、本発明は、上記実施形態に限定されるものではなく、例えば、タリー表示オン信号送信部９に音声再生部を接続しておき、タリー表示をオンとする信号を、音声再生部に送信することで、タリーオン表示と同じタイミングで、音声再生を指示するようにしてもよい。
【００３７】
また、作業対象となる音声が周期的・連続的な動作音である場合に、この動作音の周期又は動作回数を記録するメモリを設け、このメモリに記録された周期又は動作回数を、タリーにおけるカウントダウンのカウント間隔又はカウント回数として設定するように構成してもよい。
【００３８】
このような実施形態によれば、メモリに動作音の周期又は動作回数を記録するようにしておき、この記録データに基づいて、カウント間隔時間又はカウント回数の設定手段が、タリーにおけるカウントダウンのカウント間隔又はカウント回数を自動的に設定することが可能となる。このため、動作音の周期又は動作回数を記録しておくだけで、カウント間隔時間又はカウント回数を設定することが可能となり、カウント間隔やカウント回数の設定作業を省力化することができ、作業の効率化を図ることができる。
【００３９】
また、他の実施形態として、キーボード５やコントローラ６によって作業開始の映像に付与されたタイムコードＴ１を３つ以上指定する場合に、隣接する２つのスタートタイムコードＴ１間の時間間隔を計り、これらの時間間隔の平均値を算出して、この平均値をタリーにおけるカウントダウンのカウント間隔として設定するように構成した実施形態も包含される。
【００４０】
この実施形態によれば、スタートタイムコードＴ１間の平均時間がタリーにおけるカウントダウンのカウント間隔時間になるため、動作音の周期の平均的な間隔を作業者に示すことができる。また、タリーがカウントダウンされていく時間間隔は均等となるので、作業者はタリーの表示を見ながら、作業の開始タイミングを正確に予測することが可能である。
【００４１】
また、他の実施形態としては、タリーの表示オンに合わせて、ＭＩＤＩのノートオン信号又はＧＰＩパルスを出力するように構成してもよい。これらの実施形態では、信号音を発する機能を有した外部のＭＩＤＩ機器に対してＭＩＤＩノートオン信号やＧＰＩパルス等を出力するようにしてもよい。
【００４２】
このような実施形態では、タリーのカウントダウンに合わせて信号音を出力することができ、作業の開始タイミングを視覚だけではなく、聴覚からも作業者に訴えることが可能となる。したがって、カウントダウンの時間間隔が短くなって作業の開始タイミングが取り辛い場合でも、確実にタイミングを捉えることが可能である。
【図面の簡単な説明】
【００４３】
【図１】本発明に係る代表的な実施形態の構成を示すブロック図。
【図２】本実施形態におけるタリー表示の流れを示すフローチャート。
【符号の説明】
【００４４】
１…タリー表示装置
２…ＶＴＲ
３…映像処理部
４…タイムコードリード部
５…キーボード
６…コントローラ
７…イベント登録スイッチ
８…タリー表示オンタイムコード算出部
９…タリー表示オン信号送信部
１０…制御部
【図１】
0004651552.tif 000002
【図２】
0004651552.tif 000003